(57)【要約】      （修正有）【課題】シュリンクフイルムラベルにおいて、従来は筒状に成型する工程が必要で有ったが、その工程を省きボトル上で筒状に成型しながら、シュリンクできるラベルを提供する。【解決手段】シュリンクフイルムの裏面に感熱糊３Ａ、３Ｂを塗布し、ボトルにまきつけ接着させた後収縮させる。感熱糊はラベルの両端にのみ塗布してもよく、フイルムが重ね合わさる表面に、接着性の良いアンカーを引いても良い。凹凸の大きな変形ボトルでは、離型処理をした筒状の冶具を使えば、筒状に整形することが可能となる。【選択図】  図２
2005025145.tif 000002
【特許請求の範囲】
【請求項１】
熱収縮フイルムに少なくとも１方の面に印刷が施されており、その裏面に熱風等の加熱により粘着性が発現する感熱接着剤が塗られているラベルであって、裏面を加熱後被着体に胴巻き状に貼られ、その後熱収縮することを特徴とする収縮フィルムヒートラベル。
【請求項２】
ラベルの両端のみに感熱接着剤が塗布され、一方の端は強接着性の感熱接着が塗布され、他の端は弱接着性の感熱接着剤が塗布されていることを特徴とする請求項１の収縮フィルムヒートラベル。
【請求項３】
裏面に弱接着性の感熱接着剤が塗布されている一端の表面に、易接着性のアンカー剤が塗布されている事を特徴とする請求項２の収縮フィルムヒートラベル。
【請求項４】
裏面の感熱接着剤が、ディレードタック糊より成ることを特徴とする、請求項１から３の収縮フィルムヒートラベル。
【請求項５】
裏面の感熱接着剤が、ホットメルト糊より成ることを特徴とする、請求項１から３の収縮フィルムヒートラベル。
【請求項６】
離型処理がなされている円柱状の冶具に請求項２または３の収縮フィルムヒートラベルを巻き付け、ラベルを筒状に成型した後、被着体に装着することを特徴とする収縮フィル厶ヒートラベルの装着方法。
【発明の詳細な説明】
【発明の詳細な説明】
【技術分野】
【０００１】  本発明は、商品名や各種情報等の表示を主な目的として、商品やその容器に巻き付けて熱で収縮させて使用されるラベルに関するものである。
【背景技術】
【０００２】  ペットボトルやガラス瓶に熱で収縮させて装着されるシュリンクラベルは、塩ビ、ＯＰＳ、ＰＥＴ、ＰＰ等各種フィルム素材が用いられている。その製法は、熱収縮フイルムの片面もしくは両面に印刷を施した後、筒状に成型される。【０００３】  シュリンクラベルは、被着体に装着された後に熱で収縮させるため、凹凸の有るボトルにもフィットするとともに、ボトルのほぼ全面を覆う事が可能となり、インパクトの有る表現が可能となる。そのために、シュリンクラベルは、近年めざましい発展をとげている。【０００４】  しかしながら筒状に成型される工程では、有機溶剤でフイルムを溶かし接着させる方式が一般的である。使用される有機溶剤は、テトラハイドロフラン（ＴＨＦ）、酢酸エチル等の有機溶剤が用いられる。これらの溶剤は、引火性があり火災の危険性があると共に、人体に有害な影響を与える可能性も有る。また、筒状に成型する工程が必要なため、コストＵＰとなると共に、納期的にも時間がかかっていた。【０００５】  シュリンクフイルムをホットメルトと有機溶剤で被着体に巻き付けた後収縮させる方式もあるが、この場合も、有機溶剤による人への影響と、安全性の問題があった。
【発明が解決しようとする課題】
【０００６】  このように、シュリンクラベルは利便性、高意匠性では非常にメリットはあるが、筒状に成型過程で環境面、安全面で問題があった。また、コスト的、納期的にも問題があった。
【０００７】  本発明者らは、鋭意に研究を重ね、収縮ラベルの裏面に熱で活性化する糊が事前に塗られており、ボトルに装着する直前に円筒状に成型装着し熱収縮すれば、有機溶剤の使用も無く、安価で且つ納期対応の容易なラベルが作製できると考え、本発明を完成するに至った。
【課題を解決するための手段】
【０００８】  使用する伸縮フイルムはＰＰ、塩ビ、ＯＰＳ、ＰＥＴ等の縦一軸の熱収縮フイルムを用いる。厚みは、１０〜１００μｍ、好ましくは３０〜５０μｍのフイルムを用いる。
【０００９】  印刷は、オフセット方式、グラビア方式、凸版方式、フレキソ方式、スクリーン方式の種々の方式が可能である。
【００１０】  裏面に塗布される感熱接着剤は、ディレードタック糊やホットメルト糊が用いられる。塗布方式は、ロールコーター、リバースコーター、ナイフコーター、グラビアコーター、凸版コーター、フレキソコーター、スクリーンコーター等種々のコーターが可能である。但し、部分的に糊を塗布する場合は、グラビアコーター、凸版コーター、フレキソコーター、スクリーンコーターが好ましい。
【００１１】  また、易接着性のアンカー剤は、アクリル樹脂、ポリエステル樹脂、塩ビ樹脂、ウレタン樹脂、ポリアミド樹脂等種々のものが使用可農である。塗布方式は、ロールコーター、リバースコーター、ナイフコーター、グラビアコーター、凸版コーター、フレキソコーター、スクリーンコーター等種々のコーターが可能である。但し、部分的に糊を塗布する場合は、グラビアコーター、凸版コーター、フレキソコーター、スクリーンコーターが好ましい。
【００１２】  また、円柱状の冶具の表面は、フッ素樹脂、シリコン樹脂等の離型性の優れた樹脂で表面加工されており、弱接着性の感熱糊が付着しても容易に剥がれるようになっている。
【００１３】  本発明の請求項１に係る収縮フィルムヒートラベル及びラベルは、裏面に熱で接着性が発現する糊が塗られているため、被着体の凸部分に貼りつき、その後熱でフイルムを収縮させると、被着体の凹部にもラベルがフィットすることを特徴とするものである。
【００１４】  本発明の請求項２に係る収縮フィルムヒートラベルは、弱接着性の片端で被着体に貼りつき、被着体を一周巻き込んだ後強接着部分でラベルの表面と強く接着し、その後熱で収縮することに被着体にフィットし、廃棄時にはラベルと被着体が容易に剥離可能にすることを特徴とするものである。
【００１５】  本発明の請求項３の発明は、請求項２において裏面に弱接着性の感熱接着剤が塗布されている一端の表面に、易接着性のアンカー剤が塗布されており、ラベルを一周巻き付けた時に強接着性の感熱接着剤が塗布されている部分と接着し、強い接着性が得られ、その後熱収縮でフイルムが縮んだ際により強く接着しているため剥がれにくくなっている事を特徴とするものである。
【００１６】  また請求項４の発明は、請求項１から３において、裏面の感熱接着剤がディレードタック糊で形成している事を特徴とするものである。
【００１７】  また請求項５の発明は、請求項１から３において、裏面の感熱接着剤がホットメルト糊で形成している事を特徴とするものである。
【００１８】  また、請求項６の発明は請求項２または３の収縮フィルムヒートラベルを、表面を離型処理がなされた円柱状の冶具に巻き付け、ラベルを筒状に成型した後、被着体に装着し、その後熱で収縮させることを特徴とするものである。
【発明を実施するための最良の形態】
【００１９】  次ぎに、図面を用いて発明の実施の形態を説明する。図１は発明の一実施形態に係る収縮フィルムヒートラベルの構成を示すもので、断面図である。ここで、ｌは基材のフィルムで、熱で収縮する事が可能なフイルムである。また２は印刷面である。３は感熱性の糊で、熱で接着性が発現し、接着する様になっている。【００２０】  このラベルは、裏面の感熱糊３を熱で活性化させ、図４のようにボトルに巻き付けられて、貼り付けられる。この場合、重ね合わせ部７でオーバーラップされている。その後、熱収縮トンネルに入りボトル形状にフィットする。【００２１】  図面１のように全面に糊を塗る場合は、ボトル形状が比較的円筒状の場合は、形状にフィットするが、凹凸の大きな場合は糊の接着性のため、フィットしにくく、しわになったりする。そのようなボトルには、図２のように、ラベルの両端にのみ感熱性接着剤を塗布し、図４の重ね合わせ部分にのみ感熱性接着剤が塗られていれば、凹凸の大きなボトルにもフィットする。【００２２】  その際に、ボトルと接する端面の接着性を弱くしておけば、ボトルのリサイクルの際にラベルを剥し易くなる。また、ラベルの表面と重なるもう一報の端面の接着性を強くしておけば、ボトルの流通・消費段階で、ラベルが容易に剥がれ落ちる事を防げる。またその効果は、図３のようにもう一方の表面に接着性を増加させるアンカー剤を塗布すれば強度を更に増す事ができる。【００２３】  また、ボトル形状が複雑でボトル上で筒状に成形する事が困難な場合は、表面に離型処理を行った筒状の冶具を用いることで、複雑なボトルでも装着可能となる。
【発明の効果】
【００２４】  上記の様に、本発明の請求項１に係る収縮フイルムヒートラベルは有機溶剤を使用することなく、また別工程で筒状に成型することなく被着体に貼りつけ、その後熱収縮する事が可能となり、環境に考慮し安全でかつコスト的にも納期的にも有利にシュリンクラベルが製造可能となる。
【００２５】  請求項２に係る収縮フイルムヒートラベルは、被着体には弱接着性の感熱糊で接着しており、廃棄時に被着体とラベルとが容易に剥せるため、有機溶剤の使用が必要でないと共に分別回収を可能とする。
【００２６】  請求項３に係る収縮フイルムヒートラベルは、筒状に成型された際にラベルの重なり部分が強く接着しているため、強く収縮させてもラベルの重なり部分の剥がれが無く、種々の形状の被着体に使用可能となり、筒状に成型する時の有機溶剤を使用する必要性が無くなる。
【００２７】  請求項４、５に係る収縮フイルムヒートラベルは、ディレードタック糊、ホットメルト糊を使用することにより、熱処理をするだけで筒状に成型でき、有機溶剤の使用の必要が無くなる。
【００２８】  請求項６に係る収縮フイルムヒートラベルは、離型処理をした柱状の冶具を使用して、ラベリング時に筒状に成型するため、有機溶剤の使用の必要が無く、コスト的にも納期的にも有利となる。
【図面の簡単な説明】
【図１】発明の一実施形態に係る収縮フィルムヒートラベルの構成を示すもので、断面図である。
【図２】発明の他の実施形態に係る収縮フィルムヒートラベルの構成を示すもので、断面図である。
【図３】発明の他の実施形態に係る収縮フィルムヒートラベルの構成を示すもので、断面図である。
【図４】発明の実施形態に係る収縮フィルムヒートラベルのボトルへの貼り付け状態を示すもので、立面図である。
【符号の説明】
１  基材
２  印刷面
３  感熱接着剤
３−Ａ  弱接着性感熱接着剤
３−Ｂ  強接着性感熱接着剤
５  ボトル
６  収縮フイルムヒートラベル
７  重ね合わせ部
【図１】
2005025145.tif 000003
【図２】
2005025145.tif 000004
【図３】
2005025145.tif 000005
【図４】
2005025145.tif 000006